(57)【要約】【課題】たとえば工場や体育館等の建物を対象とする有効適切な温熱環境改善システムを提供する。【解決手段】建物の外壁面１および屋根面２をそれぞれ内皮１ａ、２ａと断熱性を有する外皮１ｂ、２ｂとによる二重構造として、それらに一連の外壁面内通気路１ｃと屋根面内通気路２ｃを設け、屋根面の軒先部に外気流入口５を開閉可能に設け、屋根面の頂部には外気流出口７を設け、屋根面の頂部には室内空気および外気を自然排気可能かつ開閉可能な換気モニタ８を設置し、外壁面の内皮の床近傍位置には外壁面内通気路に室内空気を流入させるための室内空気通気口１０を開閉可能に設ける。【選択図】図１
2009235677.tif 000002
【特許請求の範囲】
【請求項１】
建物を対象とする温熱環境改善システムであって、
建物の外壁面を内皮と断熱性を有する外皮とによる二重構造として該外壁面内に外壁面内通気路を設けるとともに、該建物の屋根面を内皮と断熱性を有する外皮とによる二重構造として該屋根面内に屋根面内通気路を設けて、それら外壁面内通気路と屋根面内通気路とを連通せしめておき、
前記屋根面の軒先部に前記屋根面内通気路に外気を流入させるための外気流入口を開閉可能に設けるとともに、該屋根面の頂部には前記外気流入口から前記屋根面内通気路に流入させた外気を室内に流出させるための外気流出口を設け、
前記屋根面の頂部には、室内空気および前記外気流入口から前記屋根面内通気路に流入し前記外気流出口から室内に流出した外気を排気経路を通して外部に自然排気可能な換気モニタを設置するとともに、該換気モニタには前記排気経路を開閉するためのダンパを設け、
前記外壁面の内皮の床近傍位置には、室内空気を前記外壁面内通気路に流入させるための室内空気通気口を開閉可能に設けてなることを特徴とする温熱環境改善システム。
【請求項２】
請求項１記載の温熱環境改善システムであって、
前記屋根面の外皮の少なくとも一部を透明屋根材により形成して、該屋根面の少なくとも一部を前記屋根面内通気路への採光が可能な透光屋根面とし、かつ該透光屋根面を遮光可能に覆う遮蔽材を開閉可能に設けてなることを特徴とする温熱環境改善システム。
【請求項３】
請求項２記載の温熱環境改善システムであって、
前記遮蔽材を太陽電池パネルとして、該太陽電池パネルを前記屋根面上にスライド自在に設置したことを特徴とする温熱環境改善システム。
【請求項４】
請求項１〜３のいずれか１項に記載の温熱環境改善システムであって、
前記外壁面の内皮の床近傍には室内に外気を取り入れるための外気取入口を開閉可能に設けるとともに、該外気取入口には前記外壁面を貫通して建物の外部に通じるクールチューブを接続し、該クールチューブの少なくとも中間部を建物の外部に設けた蓄雪ピット内または土中もしくは水中に敷設してなることを特徴とする温熱環境改善システム。
【請求項５】
請求項１〜４のいずれか１項に記載の温熱環境改善システムであって、
前記外壁面の要所に、内皮窓材と外皮窓材とによる二重構造の窓面を設けるとともに、該窓面内の中空部にブラインドを組み込んでなることを特徴とする温熱環境改善システム。
【請求項６】
請求項５記載の温熱環境改善システムであって、
前記窓面の外皮窓材の上部および外部に、該窓面内の中空部に外気を流通させるためのシャッタを開閉可能に設けてなることを特徴とする温熱環境改善システム。
【請求項７】
請求項１〜６のいずれか１項に記載の温熱環境改善システムであって、
前記外壁面の外皮の内面側および前記屋根面の外皮の内面側にそれぞれ断熱材を取り付けるとともに、該断熱材の表面に防湿層を設けてなることを特徴とする温熱環境改善システム。
【請求項８】
請求項１〜７のいずれか１項に記載の温熱環境改善システムであって、
前記外壁面の内皮および前記屋根面の内皮を既存建物の既存外壁面および既存屋根面とし、前記外壁面の外皮および前記屋根面の外皮を、前記既存外壁面および前記既存屋根面の外側に前記外壁面内通気路および屋根面内通気路となる間隔を確保して新たに設けた新設外壁面および新設屋根面としたことを特徴とする温熱環境改善システム。
【発明の詳細な説明】
【技術分野】
【０００１】
本発明は、たとえば工場や体育館等の建物を対象として適用して好適な温熱環境改善システム、特に自然エネルギーを最大限に有効活用して温熱環境を効率的に改善することの可能な温熱環境改善システムに関する。
【背景技術】
【０００２】
過去に建設されて現在も稼働中の既存の工場建物には、主として経済的な理由から屋根面や外壁が軽量かつ簡易な構造とされているものも多く、たとえば屋根面はスレートによる一枚屋根とされ、外壁面は波板による一枚壁とされ、窓面は透明波板により形成され、しかも簡易な冷暖房設備や換気設備が設置されているだけの場合も多い。
そのような工場の温熱環境は当然に良好とはいえず、夏期にはかなり暑く冬季にはかなり寒くなるものであることからその改善が必要とされることも多い。
そのような既存工場の温熱環境を改善するためには、外壁面や屋根面、窓面の断熱性能を向上させ、また冷暖房設備や換気設備を設置あるいは増強することが一般的である。
また、近年においては省エネルギーや地球温暖化防止の観点から建物の冷暖房換気システムにおいても自然エネルギーを有効利用する機運があり、たとえば特許文献１や特許文献２には個人住宅を対象とするものとしてパッシブソーラーシステムを基本とする空調および換気システムについての提案がある。
【特許文献１】特開２００６−９７４２５号公報
【特許文献２】特開２００６−１８３９４８号公報
【発明の開示】
【発明が解決しようとする課題】
【０００３】
既存工場の温熱環境を改善するための方策として、上記のように外壁面や屋根面、窓面の断熱性能を単に向上させ、また冷暖房設備や換気設備を単に設置あるいは増強することは、大がかりな改修を必要として多大なコストを要し、また改修後にはランニングコストの増大も不可避であり、現実的ではない場合も多い。
また、特許文献１〜２に提案されているようなシステムを既存工場の温熱環境を改善するための冷暖房換気システムとして適用することも考えられなくはないが、それらのシステムは個人住宅を対象としていることからそのまま工場建物に適用することは困難であるし、パッシブソーラーシステムを基本とするものの機械換気システムとの併用が前提であるので必ずしも自然エネルギーを充分に活用できるものでもない。
以上のことから、既存工場の温熱環境を可及的に簡便かつ低コストで改善することができ、しかも自然エネルギーを充分に有効活用することのできる有効適切な温熱環境改善システムの開発が望まれており、種々模索されているのが実状である。
【０００４】
勿論、自然エネルギーを充分に有効活用することは、既存工場を対象として温熱環境改善のための改修を行う場合のみならず、各種用途の建物を新築し改修する場合にも同様に検討するべき重要な課題でもあるので、本発明は既存工場のみならず各種用途の建物を新築し改修する場合全般に広く適用可能な有効適切な温熱環境改善システムを提供することを目的としている。
【課題を解決するための手段】
【０００５】
本発明は、建物を対象とする温熱環境改善システムであって、建物の外壁面を内皮と断熱性を有する外皮とによる二重構造として該外壁面内に外壁面内通気路を設けるとともに、該建物の屋根面を内皮と断熱性を有する外皮とによる二重構造として該屋根面内に屋根面内通気路を設けて、それら外壁面内通気路と屋根面内通気路とを連通せしめておき、前記屋根面の軒先部に前記屋根面内通気路に外気を流入させるための外気流入口を開閉可能に設けるとともに、該屋根面の頂部には前記外気流入口から前記屋根面内通気路に流入させた外気を室内に流出させるための外気流出口を設け、前記屋根面の頂部には、室内空気および前記外気流入口から前記屋根面内通気路に流入し前記外気流出口から室内に流出した外気を排気経路を通して外部に自然排気可能な換気モニタを設置するとともに、該換気モニタには前記排気経路を開閉するためのダンパを設け、前記外壁面の内皮の床近傍位置には、室内空気を前記外壁面内通気路に流入させるための室内空気通気口を開閉可能に設けてなることを特徴とする。
【０００６】
本発明においては、前記屋根面の外皮の少なくとも一部を透明屋根材により形成して、該屋根面の少なくとも一部を前記屋根面内通気路への採光が可能な透光屋根面とし、かつ該透光屋根面を遮光可能に覆う遮蔽材を開閉可能に設けることが好ましく、その場合においては前記遮蔽材を太陽電池パネルとして該太陽電池パネルを前記屋根面上にスライド自在に設置することが好ましい。
【０００７】
また、前記外壁面の内皮の床近傍には室内に外気を取り入れるための外気取入口を開閉可能に設けるとともに、該外気取入口には前記外壁面を貫通して建物の外部に通じるクールチューブを接続し、該クールチューブの少なくとも中間部を建物の外部に設けた蓄雪ピット内または土中もしくは水中に敷設することが好ましい。
【０００８】
また、前記外壁面の要所に、内皮窓材と外皮窓材とによる二重構造の窓面を設けるとともに、該窓面内の中空部にブラインドを組み込み、その場合においては、前記窓面の外皮窓材の上部および外部に、該窓面内の中空部に外気を流通させるためのシャッタを開閉可能に設けることが好ましい。
【０００９】
また、前記外壁面の外皮の内面側および前記屋根面の外皮の内面側にそれぞれ断熱材を取り付けるとともに、該断熱材の表面に防湿層を設けることが好ましい。
【００１０】
さらに、前記外壁面の内皮および前記屋根面の内皮を既存建物の既存外壁面および既存屋根面とし、前記外壁面の外皮および前記屋根面の外皮を、前記既存外壁面および前記既存屋根面の外側に前記外壁面内通気路および屋根面内通気路となる間隔を確保して新たに設けた新設外壁面および新設屋根面とすることが考えられる。
【発明の効果】
【００１１】
本発明によれば、外壁面および屋根面に一連の通気路を設けるとともに屋根面の頂部に自然排気のための換気モニタを設けて、それらにより形成される室内空気および外気の循環経路を季節ごとに切り替えることにより、年間を通して効果的な自然換気がなされ、それによる温熱環境改善効果が得られる。
【００１２】
加えて、屋根面の一部を透光屋根面として屋根面内通気路内への採光を可能とすることにより冬季における自然暖房効果を高めることができ、かつ夏期においては遮蔽材により透光屋根面を覆うことにより無駄な日射を反射させて遮蔽することができる。また、遮蔽材として太陽電池パネルを利用してそれをスライド自在に設置することにより、年間を通じて太陽電池パネルを利用しつつ夏期における遮蔽効果を合理的に得られる。
【００１３】
また、夏期においてはクールチューブを介して室内に外気を取り入れることにより外気冷房効果が得られ、特にそのクールチューブを蓄雪ピット内あるいは土中もしくは水中に敷設することにより取り入れ外気を充分に冷却することができる。
【００１４】
また、内皮窓材と外皮窓材とによる二重構造の窓面を設け、その窓面内の中空部にブラインドを組み込み、さらに中空部内に外気を流通させる構成とすることにより、冬季における採光と断熱性確保、および夏期における日射制御と窓面温度上昇防止を両立することができる。
【００１５】
さらに、外壁面や屋根面の外皮の内面に断熱材を取り付け、かつその表面に防湿層を設けることにより、外壁面および屋根面全体の断熱性能および防湿性能を確実かつ充分に高めることができる。
【００１６】
また、既存建物の既存外壁面および既存屋根面をそれぞれ内皮として、それらの外側にそれぞれ外皮としての外壁面および屋根面を新設することにより、本発明を既存建物を対象とする温熱環境改善のための改修手法として合理的に適用することができる。
【発明を実施するための最良の形態】
【００１７】
本発明の一実施形態を図１〜図４を参照して説明する。本実施形態は既存の工場建物を対象としてその温熱環境改善を目的として改修する場合の適用例であって、図１〜図２は改修後の建物全体の概略構成図（図１は冬季の状態、２は夏期の状態）である。
【００１８】
「基本構成：外壁面内通気路、屋根面内通気路および換気モニタ」
本実施形態では、既存建物の既存外壁面および既存屋根面をほぼそのまま残置してその外側に新設外壁面と新設屋根面とを設置することより、それらの間に外壁面内通気路および屋根面内通気路を設け、屋根面の頂部には換気モニタを設置することを基本とする。
【００１９】
すなわち、図１〜図２に示すように、改修後の外壁面１は、既存外壁面からなる内皮１ａと、その外側に間隔をおいて新設された新設外壁面としての外皮１ｂからなる気密な二重構造（ダブルスキン）とされ、それら内皮１ａと外皮１ｂの間に外壁面内通気路１ｃが確保されている。
同様に、改修後の屋根面２は、既存屋根面からなる内皮２ａと、その外側に間隔をおいて新設された新設屋根面としての外皮２ｂからなる気密な二重構造（ダブルスキン）とされ、それら内皮２ａと外皮２ｂとの間に屋根面内通気路２ｃが確保されている。
新設外壁面および新設屋根面としての外皮１ｂ、２ｂは、いずれも外壁材および屋根材の内面側に断熱材３（外壁面１については図４参照）が取り付けられて所望の断熱性能を有するものであり、それら外皮１ｂ、２ｂが既存外壁面としての内皮１ａ全体および既存屋根面としての内皮２ａ全体を覆う状態で設置され、かつそれらの間に外壁面内通気路１ｃおよび屋根面内通気路２ｃとしての空気層が気密裡に確保されることにより、改修後の外壁面１および屋根面２は改修前に比べて断熱性能および気密性能が格段に向上したものとなっている。
また、断熱材３の表面には防湿層４（外壁面１については図４参照）が設けられていて、外壁面１や屋根面２の防湿湿性も併せて確保されている。
【００２０】
そして、外壁面１と屋根面２との接合部においては外壁面内通気路１ｃと屋根面内通気路２ｃとが相互に連通してそれらによる一連の通気路が確保されており、後述するように室内空気がそれら一連の通気路内を流通可能とされている。
また、屋根面２の軒先部には、屋根面内通気路１ｃに外気を流入させるための外気流入口５がダンパ６により開閉可能に設けられているとともに、屋根面２の頂部には、外気流入口５から屋根面内通気路２ｃに流入した外気を室内に流出させるための外気流出口７が設けられている。
そして、屋根面２の頂部（棟部）には、その外気流出口７から室内に流出した外気および室内空気を屋根面２上に自然排気するための換気モニタ８が設置されており、その換気モニタ８には排気経路を開閉するためのダンパ９が設けられている。
また、外壁面１の内皮１ａ（既存外壁面）の床近傍位置には、室内空気を外壁面内通気路１ｃに流入させるための室内空気通気口１０が設けられ、そこには開閉可能なシャッタ１１が取り付けられている。
【００２１】
以上の基本構成により、改修後の建物においては、外壁面１および屋根面２の断熱性能および気密性能が単に向上したのみならず、以下のような設定により冬季および夏期のいずれにおいても効率的な自然換気が可能であり、それにより冬季においては暖かく夏期においては涼しいという温熱環境を確保できるものである。
【００２２】
すなわち、冬季においては、図１に示すように屋根面２の軒先部に設置しているダンパ６により外気流入口５を閉じ、換気モニタ８のダンパ９も閉じ、外壁面１の下部に設けられているシャッタ１１を開いて室内空気通気口１１を開放する。
これにより、冬季といえども屋根面２および外壁面１は日射により暖められて屋根面内通気路内２ｃ内の空気および外壁面内通気路１ｃ内の温度は自ずと上昇し、それによる煙突効果により室内空気が室内空気通気口１１から外壁面内通気路１ｃに吸引され、その内部を上昇して屋根面内通気路２ｃ内をさらに上昇していく間に日射により加温されて暖気となり、外気流出口７から室内の頂部に流出し、室内を降下して室内空気通気口１１に再び吸引されるという自然循環空気流が形成され、そのような暖気の循環による自然暖房効果が得られる。
また、屋根面内通気路２ｃおよび外壁面内通気路１ｃを暖気が流通することから、屋根面２の内皮２ａおよび外壁面１の内皮１ａがいずれも加温されることにより、それらが加温パネルとして機能することにより放射暖房効果も得られる。
なお、必要であれば（たとえば天井高が特に高いような場合には）室内の頂部に天井扇やサーキュレータ等の強制循環機構１２を設置して室内空気の循環を補完するようにしても良い。
【００２３】
一方、夏期においては、図２に示すように屋根面２の軒先部に設置しているダンパ６を開いて外気流入口５を開放し、換気モニタ８のダンパ９も開き、外壁面１の下部に設けられているシャッタ１１は閉じて室内空気通気口１０を閉じる。
これにより、日射により暖められた屋根面内通気路２ｃ内の熱気は自ずと上昇していって換気モニタ８を通して外部に排気され、それに伴い比較的低温の外気が外気流入口５から屋根面内通気路２ｃ内に自然流入して屋根面２を内部から冷却し、屋根面２全体を比較的低温に維持する。
また、室内において温度上昇した室内空気も自ずと換気モニタ８により排気され、それに伴う自然換気効果が得られて室内に高温の空気が滞留してしまうこともない。
【００２４】
以上のように、本実施形態のシステムによれば、外壁面１および屋根面２に断熱性を有する外皮１ｂ、２ｂを設けてそれらの内側に一連の通気路を設けるとともに、屋根面２の頂部には自然排気のための換気モニタ８を設けるという基本構成のみで、それらにより形成される室内空気および外気の循環経路を季節ごとに切り替えることにより年間を通して効果的な自然換気がなされ、機械換気や冷房を行うことなく温熱環境改善効果が得られる。
なお、図示しているように外壁面１の近傍には植栽１３を行うことが好ましく、特に南面には落葉樹を植栽することが好ましく、それにより夏期においては繁茂する枝葉による日射遮蔽効果が得られ、冬季には自ずと落葉することにより日射を充分に受けることができる効果を期待できる。
【００２５】
以上の基本構成に加えて、本実施形態では必要に応じて、また可能であれば、以下のような要素を適宜付加することにより、温熱環境改善効果をより高めることが可能である。
【００２６】
「透光屋根面およびその遮蔽材」  
屋根面２における内皮２ａ（既存屋根面）は通常の屋根面のように遮光性屋根材により形成すれば良いが、外皮２ｂ（新設屋根面）の少なくとも一部をガラス面や透明樹脂板等からなる透明屋根材による透光屋根面１５とすることにより、その透光屋根面１５により屋根面内通気路２ｃ内への採光を可能とすることが好ましい。これにより、図１に示しているように冬季においては屋根面内通気路２ｃ内を通って循環する室内空気を日射によって効率的に加温でき、自然暖房効果をより高めることができる。
但しそのような透光屋根面１５を設ける場合、夏期においては屋根面内通気路２ｃ内の温度が過度に上昇して逆効果になるので、透光屋根面１５を覆うような遮蔽材１６を開閉可能に設けておき、図２に示すように夏期においては遮蔽材１６により透光屋根面１５を遮蔽して日射を反射させてしまうことが好ましい。
その場合、遮蔽材１６としては遮光材料による単なる板状のものでも良く、それを開閉させるための機構も適宜で良いが、遮蔽材１６として太陽電池パネルを利用することも好ましく、その場合には太陽電池パネルを屋根面２上にスライド自在に設置することにより、年間を通じて太陽電池パネルを利用しつつ夏期における透光屋根面１５に対する遮蔽効果を合理的に得られる。
なお、遮蔽材１６をスライドさせる場合のパターンとしては、図１〜図２、図３（ａ）に示すように遮蔽材１６を屋根面２の傾斜面に沿ってスパン方向にスライドさせることでも良いし、あるいは図３（ｂ）に示すように桁行方向にスライドさせることでも良い。
【００２７】
「クールチューブ」
外壁面１の床近傍には室内に外気を取り入れるための外気取入口１７をダンパ１８により開閉可能に設け、その外気取入口１７には外壁面１を貫通して建物の外部に通じるクールチューブ１９を接続し、そのクールチューブ１９を通して夏期においては低温の外気を室内に取り入れることが好ましく、それにより図２に示したような室内での自然換気がより確実になされて低温外気が充分に取り入れられ、それによる外気冷房効果が得られる。冬季において換気が不要な場合にはダンパ１８を閉じておけば良い。
その場合、多雪地域においてはクールチューブ１９の全体もしくは少なくともその中間部の一部を蓄雪ピット２０内に敷設することが好ましい。すなわち、建物の軒下部に蓄雪ピット２０を設けておいてその内部にクールチューブ１９を敷設しておき、冬季における付近の積雪や屋根面２からの落雪を夏期まで蓄雪ピット２０に貯留しておくことにより、クールチューブ１９を通して室内に取り入れる外気を充分に冷却することが可能である。
あるいは、上記のような蓄雪ピット２０を設けられない場合や、夏期までの蓄雪が望めない場合には、夏期においては土中温度は外気温度よりもかなり低いことが通常であるから、クールチューブ１９を蓄雪ピットに代えて単に土中に埋設することでも同様の効果が得られる。
さらには、付近に湖沼や溜め池等の天然あるいは人工の水域がある場合や、既存あるいは新設の水槽等を利用できる場合には、クールチューブ１９を水中に水没状態で敷設することでも同様の効果が得られる。
なお、いずれにしてもクールチューブ１９を通しての室内への外気取り入れは内外の気圧差や温度差による自然流入により行うべきであり、そのためにはクールチューブ１９における通気抵抗を充分に小さくする必要があるので、クールチューブ１９の径寸法は充分に大きくすることが好ましく、たとえば直径0.5m程度のコルゲートパイプ等が好適に採用可能である。
【００２８】
「窓面」
外壁面に窓面２１を設ける場合、図４に示すようにガラスあるいは透明ないし半透明板を窓材として、内皮窓材２１ａと外皮窓材２１ｂとによる二重構造することが好ましく、その窓面２１内の中空部２１ｃ（空気層）にはブラインド２２を組み込み、さらに外皮窓材２１ｂの上部および外部には中空部２１ｃに外気を流通させるためのシャッタ２３を開閉可能に設けることが好ましい。
これにより、この窓面２１は図４（ａ）に示すように冬季においては断熱性と気密性に優れた二重窓として日射を支障なく採光することができ、また（ｂ）に示すように夏期においてはブラインド２２による日射制御と、中空部内を自然換気することにより中空部内に熱気がこもることを防止して窓面２１の温度上昇を防止することができる。なお、中空部２１ｃと外部との間で好ましくない差圧が生じないように等圧区画を形成することにより、中空部２１ｃ内への雨水の浸入は支障なく防止することができる。
【００２９】
以上、本発明の実施形態を説明したが、上記実施形態はあくまで好適な一例であって、本発明は上記実施形態に限定されることなく、本発明の要旨を逸脱しない範囲であれば適宜の設計的変形や応用が可能である。
たとえば上記実施形態は既存工場の温熱環境改善のための改修に適用した場合の例であるが、本発明は工場のみならず比較的軽量で簡易な構造かつ簡易な形態の建物、たとえば倉庫や体育館等に対しても好適に採用可能であることはもとより、そのような場合のみならず、各種用途の建物を改修しあるいは新築する場合全般に広く適用可能である。勿論、改修する場合には上記実施形態のように既存としての内皮の外側に外皮のみを新設すれば良いが、建物全体を新築する場合には内皮および外皮の双方を新築すれば良いことは言うまでもない。
そして、上記実施形態において説明した各要素についての具体的な構成は、建物の用途、要求される温熱環境条件、建設地の気象条件や立地条件、構造、規模、形態、その他の諸条件を考慮して、不要なものを省略することも含めて最適設計すれば良い。
【図面の簡単な説明】
【００３０】
【図１】本発明の実施形態である温熱環境改善システムの冬季の状態を示す概略構成図である。
【図２】同、夏期の状態を示す概略構成図である。
【図３】同、屋根面における透光屋根面とその遮蔽材の構成例を示す図である。
【図４】同、窓面の構成例を示す概略構成図である。
【符号の説明】
【００３１】
１  外壁面
１ａ  内皮（既存外壁面）
１ｂ  外皮（新設外壁面）
１ｃ  外壁面内通気路
２  屋根面
２ａ  内皮（既存屋根面）
２ｂ  外皮（新設屋根面）
２ｃ  屋根面内通気路
３  断熱材
４  防湿層
５  外気流入口
６  ダンパ
７  外気流出口
８  換気モニタ
９  ダンパ
１０  室内空気通気口
１１  シャッタ
１２  強制循環機構
１３  植栽
１５  透光屋根面
１６  遮蔽材
１７  外気取入口
１８  ダンパ
１９  クールチューブ
２０  蓄雪ピット
２１  窓面
２１ａ  内皮窓材
２１ｂ  外皮窓材
２１ｃ  中空部（空気層）
２２  ブラインド
２３  シャッタ
【図１】
2009235677.tif 000003
【図２】
2009235677.tif 000004
【図３】
2009235677.tif 000005
【図４】
2009235677.tif 000006